(57)【要約】      （修正有）【課題】貯金の管理を低コストでコンパクトに行うことができる手帳型貯金袋を提供する。【解決手段】貨幣または紙幣が収容される矩形状の袋体３０を複数備える手帳型貯金袋であって、袋体は、互いに対向する一対の短辺の一方が綴じられて、他方側に開口３５を有し、開口が粘着部３３、３４によって封緘可能に構成されている。複数の袋体は、綴じ具（綴じ孔４１とリング４０）を介して矩形状の表紙１０および裏表紙２０の間に積層され、裏表紙には伸縮性の保持バンドが固定され、保持バンドが形成するループによって、表紙を閉じた状態を維持することができる。【選択図】図３
0003221783.tif 000002
【実用新案登録請求の範囲】
【請求項１】
貨幣または紙幣が収容される矩形状の袋体を複数備える手帳型貯金袋であって、
前記袋体は、互いに対向する一対の短辺の一方が綴じられて、他方側に開口を有しており、前記開口が粘着部によって封緘可能に構成されている手帳型貯金袋。
【請求項２】
複数の前記袋体は、矩形状の表紙および裏表紙の間に積層され、
前記裏表紙には伸縮性の保持バンドが固定されており、
前記保持バンドが形成するループによって、前記表紙を閉じた状態を維持することができる請求項１に記載の手帳型貯金袋。
【請求項３】
前記袋体は、収容物の少なくとも一部を視認可能な窓部が形成されている請求項１または２に記載の手帳型貯金袋。
【考案の詳細な説明】
【技術分野】
【０００１】
本考案は、手帳型貯金袋に関する。
【背景技術】
【０００２】
一般的な貯金箱は、剛性材料により形成されて折り畳むことができないため、保管時の省スペース化を図る目的で、柔軟な袋状に形成した貯金袋が従来から知られている。例えば、特許文献１には、合成樹脂フィルムにより自立可能に形成された袋体を複数連結することで、各袋体にコインを分別して貯めることができる貯金袋が開示されている。
【先行技術文献】
【特許文献】
【０００３】
【特許文献１】特開平１０−１１７８２５号公報
【考案の概要】
【考案が解決しようとする課題】
【０００４】
ところが、上記特許文献１に開示された貯金袋は、袋体を自立可能にするための構成が煩雑になるだけでなく、袋体を多数連結した場合には、各袋体に貯金した状態でコンパクトに収納することが困難になるという問題があった。
【０００５】
そこで、本考案は、貯金の管理を低コストでコンパクトに行うことができる手帳型貯金袋の提供を目的とする。
【課題を解決するための手段】
【０００６】
本考案の前記目的は、貨幣または紙幣が収容される矩形状の袋体を複数備える手帳型貯金袋であって、前記袋体は、互いに対向する一対の短辺の一方が綴じられて、他方側に開口を有しており、前記開口が粘着部によって封緘可能に構成されている手帳型貯金袋により達成される。
【０００７】
この手帳型貯金袋において、複数の前記袋体は、矩形状の表紙および裏表紙の間に積層され、前記裏表紙には伸縮性の保持バンドが固定されていることが好ましく、前記保持バンドが形成するループによって、前記表紙を閉じた状態を維持することができる。
【０００８】
前記袋体は、収容物の少なくとも一部を視認可能な窓部が形成されていることが好ましい。
【考案の効果】
【０００９】
本考案によれば、貯金の管理を低コストでコンパクトに行うことができる手帳型貯金袋を提供することができる。
【図面の簡単な説明】
【００１０】
【図１】本考案の一実施形態に係る手帳型貯金袋の平面図である。
【図２】図１に示す手帳型貯金袋の側面図である。
【図３】図１に示す手帳型貯金袋を展開した状態を示す平面図である。
【考案を実施するための形態】
【００１１】
以下、本考案の一実施形態について添付図面を参照しつつ説明する。図１および図２は、本考案の一実施形態に係る手帳型貯金袋の平面図および側面図である。図１および図２に示すように、手帳型貯金袋１は、矩形状に形成された厚紙等からなる表紙１０および裏表紙２０の間に、紙や合成樹脂等からなる矩形封筒状の袋体３０が複数積層されて構成されている。
【００１２】
表紙１０、裏表紙２０および袋体３０は、互いに対向する一対の短辺の一方に沿って、綴じ孔４１が複数形成されている。各綴じ孔４１には、綴じ具となるリング４０がそれぞれ挿通されており、これによって袋体３０が短辺綴じされている。袋体３０の綴じ方は、リング綴じに限定されるものではなく、糸綴じや無線綴じなど他の製本手段により行うことも可能である。
【００１３】
裏表紙２０における一対の短辺の他方側には、ゴム等からなる伸縮性の保持バンド５０の両端部がハトメ等の留め具５１によって固定されており、保持バンド５０が形成するループによって、表紙１０を閉じた状態を維持することができる。保持バンド５０は、図１の矢示Ａ方向にずらすことで表紙１０との係合が解除され、手帳型貯金袋１を展開することができる。
【００１４】
図３は、図１に示す手帳型貯金袋を展開した状態を示している。袋体３０は、綴じ側となる長手方向一方側が閉塞されており、長手方向他方側に開口３５が形成されている。袋体３０の開口近傍にはフラップ３１が形成されており、フラップ３１を折り曲げることにより、開口３５を覆うことができる。フラップ３１の折り曲げにより互いに接触する部分には、再湿糊などからなる粘着部３３，３４が形成されており、粘着部３３，３４を水などで濡らして互いに接合することにより、開口３５を粘着によって封緘することができる。
粘着部３３，３４は、いずれか一方のみの形成であってもよく、更に、開口３５近傍の内面側に粘着部を形成することで、フラップ３１を設けずに開口３５を封緘することもできる。
【００１５】
袋体３０の表側には、収容物を目視できるように、透明フィルム等からなる窓部３２が形成されている。窓部３２は、袋体３０の全体に形成してもよいが、収容物の少なくとも一部が視認できるように形成されていればよい。
【００１６】
上記の構成を備える手帳型貯金袋１は、表紙１０に近い袋体３０から使用して貨幣や紙幣などを収容し、所定の期間経過や目的達成などのイベント毎に、粘着部３３，３４の粘着により開口３５を完全に閉じて、次の袋体３０を順次使用することができる。これにより、例えば月毎の貯金を適切に管理することができ、袋体３０の数を１２か月分とすることで、年毎の貯金の管理も適切に行うことができる。複数年の貯金を管理する場合には、手帳型貯金袋１を複数用意して、年毎に表紙１０の色を変えたり、背表紙に西暦を記載する等して、それぞれを容易に区別することができる。
【００１７】
本実施形態の手帳型貯金袋１は、リング冊子などの製本物と同様の製造方法により低コストで容易に製造することができると共に、本棚や机の引き出し等にコンパクトに収納することができる。手帳型貯金袋１の収納時には、保持バンド５０を使用して表紙１０を確実に閉じることができるため、月の途中等で開口３５がまだ封緘されていない状態でも、収容物が散乱するのを防止することができる。
【００１８】
また、本実施形態の手帳型貯金袋１は、袋体３０に窓部３２が形成されているため、収容物が貯まっていく様子を実感することができ、貯金のモチベーションを高めることができる。このような窓部３２を有する袋体３０としては、例えば市販の窓付き封筒を使用することができるので、この点からも手帳型貯金袋１の低コスト化を図ることができる。
【符号の説明】
【００１９】
１  手帳型貯金袋
１０  表紙
２０  裏表紙
３０  袋体
３２  窓部
３３．３４  粘着部
３５  開口
５０  保持バンド
【図１】
0003221783.tif 000003
【図２】
0003221783.tif 000004
【図３】
0003221783.tif 000005
【手続補正書】
【提出日】平成31年4月12日(2019.4.12)
【手続補正１】
【補正対象書類名】実用新案登録請求の範囲
【補正対象項目名】全文
【補正方法】変更
【補正の内容】
【実用新案登録請求の範囲】
【請求項１】
貨幣または紙幣が収容される矩形状の袋体を複数備える手帳型貯金袋であって、
前記袋体は、互いに対向する一対の短辺の一方が綴じられて、他方側に開口を有しており、前記開口が粘着部によって封緘可能に構成されている手帳型貯金袋。
【請求項２】
矩形状の表紙および裏表紙を更に備え、
複数の前記袋体は、前記表紙および裏表紙の間に積層され、
前記裏表紙には伸縮性の保持バンドが固定されており、
前記保持バンドが形成するループによって、前記表紙を閉じた状態を維持することができる請求項１に記載の手帳型貯金袋。
【請求項３】
前記袋体は、収容物の少なくとも一部を視認可能な窓部が形成されている請求項１または２に記載の手帳型貯金袋。